(57)【要約】  【課題】  本発明は、送信装置１台に対して複数台の受信装置で構成されるシステムであって、受信装置から送信される非同期データのリアルタイム性を損なうことのないデータ通信システムを提供することを目的とする。  【解決手段】  受信装置３−１〜３−ｎの間において、１台の受信装置３が親機として設定されるとともに残りの受信装置３が子機として設定される。そして、子機として設定された受信装置３からの再送要求データ及びリモコンスルーデータが親機として設定された受信装置３に送信された後、この親機となる受信装置３において、受信装置３−１〜３−ｎそれぞれの再送要求データ及びリモコンスルーデータを確認する。そして、親機となる受信装置３から送信装置２に対して、受信装置３−１〜３−ｎそれぞれの再送要求データ及びリモコンスルーデータが送信される。【選択図】      図１
2006345121.tif 000002
【特許請求の範囲】
【請求項１】
同期データを送信する１台の送信装置と、該送信装置からの前記同期データを受信する複数台の受信装置と、によって構成されるとともに、前記受信装置から前記送信装置に対して非同期データが送信される無線通信回線によるデータ通信システムにおいて、
複数の前記受信装置の１台を、前記非同期データを前記送信装置に送信することのできる親機として設定するとともに、
残りの前記受信装置を子機として設定し、該子機として設定される前記受信装置から前記非同期データを前記送信装置に送信することを禁止すること特徴とするデータ通信システム。
【請求項２】
前記子機となる前記受信装置で生成された前記非同期データが前記親機となる前記受信装置に送信された後、前記親機となる前記受信装置において、複数の前記受信装置全てで生成された前記非同期データの管理が行われ、管理された前記非同期データを前記親機となる前記受信装置より前記送信装置に送信されることを特徴とする請求項１に記載のデータ通信システム。
【請求項３】
前記受信装置が電源ＯＮとなったとき、他の前記受信装置が前記送信装置と通信を行っていないことを確認したとき、電源ＯＮとなった当該受信装置が前記親機として設定されることを特徴とする請求項１又は請求項２に記載のデータ通信システム。
【請求項４】
前記親機となる前記受信装置が、複数の前記受信装置全てのビットエラーレートを確認し、自機器よりも低いビットエラーレートとなる前記受信装置を確認したとき、確認した当該受信装置を前記親機として設定するとともに、自機器を前記子機として設定することを特徴とする請求項１〜請求項３のいずれかに記載のデータ通信システム。
【請求項５】
複数の前記受信装置が、前記送信装置又は前記送信装置に接続された機器を操作するリモートコントローラからの信号を受信し、受信した前記リモートコントローラからの信号を前記送信装置に送信することができるとともに、
前記リモートコントローラからの信号を受信した前記受信装置が前記親機に設定されることを特徴とする請求項１〜請求項４のいずれかに記載のデータ通信システム。
【請求項６】
前記リモートコントローラからの信号を受信した前記受信装置が前記親機として設定されたとき、前記子機となる残りの前記受信装置による前記非同期データの送信動作が禁止されることを特徴とする請求項５に記載のデータ通信システム。
【請求項７】
前記リモートコントローラからの信号を受信した前記受信装置が前記親機として設定された後に前記子機となる残りの前記受信装置による前記非同期データの送信動作が禁止される期間が所定時間として設定され、再び前記リモートコントローラから信号が送信されずに前記所定時間が経過すると、前記子機となる前記受信装置からの前記非同期データの送信動作が許可されることを特徴とする請求項６に記載のデータ通信システム。
【請求項８】
前記リモートコントローラからの信号を受信した前記受信装置が前記親機として設定されたとき、前記親機と設定された前記受信装置から前記子機となる残りの前記受信装置に対して、前記非同期データの送信動作が禁止されることが通知されることを特徴とする請求項６又は請求項７に記載のデータ通信システム。
【請求項９】
前記リモートコントローラからの信号を受信した前記受信装置が前記親機として設定されたとき、前記送信装置から前記子機となる残りの前記受信装置に対して、前記非同期データの送信動作が禁止されることが通知されることを特徴とする請求項６又は請求項７に記載のデータ通信システム。
【請求項１０】
無線信号を受信する受信部と、該受信部で受信した前記無線信号を復調する復調部と、該復調部で復調した信号を復号化する復号化部と、非同期データによる無線信号を送信する送信部と、前記非同期データを生成する符号化部と、前記符号化部で生成された前記非同期データを変調して前記無線信号を生成して前記送信部に与える変調部と、を備えるデータ通信装置であって、
請求項１〜請求項９に記載の前記受信装置として動作することを特徴とするデータ通信装置。
【請求項１１】
無線信号を受信する受信部と、該受信部で受信した前記無線信号を復調する復調部と、該復調部で復調した信号を復号化する復号化部と、同期データによる無線信号を送信する送信部と、前記同期データを生成する符号化部と、前記符号化部で生成された前記同期データを変調して前記無線信号を生成して前記送信部に与える変調部と、を備えるデータ通信装置であって、
請求項１〜請求項９に記載の前記送信装置として動作することを特徴とするデータ通信装置。
【請求項１２】
同期データによる無線信号を受信する受信部と、該受信部で受信した前記無線信号を復調する復調部と、該復調部で復調した信号を復号化する復号化部と、非同期データによる無線信号を送信する送信部と、前記非同期データを生成する符号化部と、前記符号化部で生成された前記非同期データを変調して前記無線信号を生成して前記送信部に与える変調部と、を備えるデータ通信装置において、
前記同期データによる無線信号を送信する同期データ送信装置を備えるデータ通信システムに参加したとき、
該データ通信システムに参加する前記データ通信装置が自機器を含めて複数あるときに、前記データ通信装置の１台を親機と設定するとともに、残りの前記データ通信装置を子機と設定し、
前記親機と設定されたとき、前記非同期データによる前記無線信号を前記同期データ送信装置に送信することが許可され、
前記子機と設定されたとき、前記非同期データによる前記無線信号を前記同期データ送信装置に送信することが禁止されることを特徴とするデータ通信装置。
【請求項１３】
前記子機と設定されたとき、前記非同期データによる前記無線信号を、前記データ通信システムに参加するとともに前記親機と設定された前記データ通信装置に送信し、
前記親機と設定されたとき、前記データ通信システムに参加するとともに前記子機と設定された前記データ通信装置から送信された前記非同期データによる前記無線信号を前記受信部で受信し、前記復調部及び前記復号化部で処理して前記非同期データを取得すると、前記符号化部で生成された前記非同期データとともに管理した後、前記変調部で変調して前記送信部より前記同期データ送信装置に送信することを特徴とする請求項１２に記載のデータ通信装置。
【請求項１４】
前記子機と設定されたとき、前記符号化部、前記変調部、及び前記送信部の動作が停止されて、前記非同期データによる前記無線信号の送信が禁止されることを特徴とする請求項１２に記載のデータ通信装置。
【請求項１５】
前記同期データ送信装置に送信する操作用データを送信するリモートコントローラからの該操作用データを受信する操作用データ受信部を備え、
前記操作用データ受信部で前記リモートコントローラからの前記操作用データを受信したとき、親機として設定されることを特徴とする請求項１２〜請求項１４のいずれかに記載のデータ通信装置。
【請求項１６】
電源ＯＮとなったときに、前記データ通信システムに参加する前記データ通信装置を自機器以外に確認しなかったとき、自機器を親機と設定することを特徴とする請求項１２〜請求項１５のいずれかに記載のデータ通信装置。
【請求項１７】
前記親機として設定されるとき、前記データ通信システムに参加する前記データ通信装置全てのビットエラーレートを確認し、
自機器よりも低いビットエラーレートとなる前記データ通信装置を確認したとき、当該データ通信装置を前記親機と設定するとともに、自機器を前記子機として設定することを特徴とする請求項１２〜請求項１６のいずれかに記載のデータ通信装置。
【発明の詳細な説明】
【技術分野】
【０００１】
本発明は、無線通信によりＡＶデータの送受信を行うデータ通信システムに関するもので、特に、１台の送信装置からのＡＶデータを複数の受信装置が受信するように構成されたデータ通信システムに関する。又、このデータ通信システムを構築する送信装置又は受信装置となるデータ通信装置に関する。
【背景技術】
【０００２】
近年、無線通信技術及び情報圧縮技術の発展により、音声及び映像などのＡＶデータといった情報量の多いデータを無線で送受信することが可能となり、このＡＶデータによるコンテンツの通信を行うデータ通信システムが提供されている（特許文献１参照）。このようなデータ通信システムにおいて、例えば、ＤＶＤ（Digital Versatile Disk）プレーヤやＶＣＲ（Video Cassette Recorder）やＰＶＲ（Personal Video Recorder）などのコンテンツを格納した記録媒体を再生するコンテンツ記録再生装置や地上波デジタル放送や衛星デジタル放送などを受信するチューナ装置をＡＶデータのソース源とし、このソース源からのＡＶデータが再生表示されるＬＣＤＴＶ（Liquid Crystal Display TV）やＰＤＡ（Personal Digital Assistants）や携帯電話などを再生出力装置とする。
【０００３】
又、このＡＶデータを送受信するデータ通信システムにおいて、通信品質を向上するためのＦＥＣ（Forward Error Correction：前方誤り訂正）や受信装置からの再送要求機能が付加されたものがある。更に、特許文献１におけるシステムのように、ソース源を制御するためのリモートコントローラ（以下、「リモコン」と呼ぶ）からの制御信号（以下、「リモコンスルーデータ」と呼ぶ）を赤外線通信によって受信装置で受信すると、この制御信号を送信装置に送信して、ソース源の動作が制御されるものもある。
【０００４】
このようなデータ通信システムにおいて、ソース源と再生出力装置でＡＶデータを送受信するために、ケーブルなどの配線の煩わしさを解消するために、ＩＥＥＥ（Institute of Electrical and Electronics Engineers）において標準化されている無線ＬＡＮ（Local Area Network）技術が利用されているものがある。この無線ＬＡＮ技術を利用するとき、ソース源に接続された送信装置より、ＡＶデータをＴＳ（Transport Stream）データとして無線で送信し、このＴＳパケットを再生出力装置に接続された受信装置で受信し、最終的に、ソース源からのＡＶデータによる映像及び音声を再生出力装置で再生出力する。
【０００５】
このＴＳパケットの無線通信方式は、２．４ＧＨｚ帯のＳＳ（Spread Spectrum：スペクトラム拡散）方式による通信を行うＩＥＥＥ８０２．１１ｂ規格、２．４ＧＨｚ帯のＯＦＤＭ（Orthogonal Frequency Division Multiplexing：直行周波数分割多重）方式による通信を行うＩＥＥＥ８０２．１１ｇ規格、５．２ＧＨｚ帯でＯＦＤＭ方式による通信を行うＩＥＥＥ８０２．１１ａ規格等に準拠している。この無線通信方式を利用したデータ通信システムとして、本出願人は、制御コマンドに機器を識別するための識別コードを含ませることで、制御コマンドを実行すべき機器を識別することができるワイヤレス制御システムを提案している（特許文献２、特許文献３参照）。
【特許文献１】特開２００１−１４５１７５号公報
【特許文献２】特開２００４−３３６７２７号公報
【特許文献３】特開２００４−３３６７３６号公報
【発明の開示】
【発明が解決しようとする課題】
【０００６】
しかしながら、従来の無線通信方式を利用したデータ通信システムにおいては、送信装置１台に対して複数台の受信装置で構成される場合、各受信装置は、他の受信装置が送信装置との通信を終了したことを確認したときに送信装置との通信を行うため、自機器が送信装置との通信が可能となるまで送信するデータを格納する必要がある。そのため、送信装置に送信するデータのデータ量を算出し、データ量に応じたバッファが必要となる。よって、ソフトウェアにおける演算量の増加や、リモコンスルーデータを確保するバッファ量の増加を招く。又、ＴＳパケットの再送要求やリモコンスルーデータのように、一定時間のリアルタイム性が必要なデータについて、その送信タイミングが遅れる可能性がある。そのため、ＴＳパケットの再送要求などでは、要求するＴＳパケットの再送タイミングをタイムアウトして、要求したＴＳパケットが受信できないこともある。
【０００７】
このような問題を鑑みて、本発明は、送信装置１台に対して複数台の受信装置で構成されるシステムであって、受信装置から送信される非同期データのリアルタイム性を損なうことのないデータ通信システムを提供することを目的とする。又、本発明は、このようなデータ通信システムにおけるデータ通信装置を提供することを他の目的とする。
【課題を解決するための手段】
【０００８】
上記目的を達成するために、本発明のデータ通信システムは、同期データを送信する１台の送信装置と、該送信装置からの前記同期データを受信する複数台の受信装置と、によって構成されるとともに、前記受信装置から前記送信装置に対して非同期データが送信される無線通信回線によるデータ通信システムにおいて、複数の前記受信装置の１台を、前記非同期データを前記送信装置に送信することのできる親機として設定するとともに、残りの前記受信装置を子機として設定し、該子機として設定される前記受信装置から前記非同期データを前記送信装置に送信することを禁止すること特徴とする。
【０００９】
尚、このデータ通信システムにおける「同期データ」を、本明細書においては、「ＡＶデータ」を例に挙げ、又、「非同期データ」を、本明細書においては、「リモコンスルーデータ」及び「再送要求データ」を例に挙げて、以下で説明している。
【００１０】
このようなデータ通信システムにおいて、前記子機となる前記受信装置で生成された前記非同期データが前記親機となる前記受信装置に送信された後、前記親機となる前記受信装置において、複数の前記受信装置全てで生成された前記非同期データの管理が行われ、管理された前記非同期データを前記親機となる前記受信装置より前記送信装置に送信されるものとしても構わない。
【００１１】
そして、前記受信装置が電源ＯＮとなったとき、他の前記受信装置が前記送信装置と通信を行っていないことを確認したとき、電源ＯＮとなった当該受信装置が前記親機として設定されるものとしても構わないし、又、前記親機となる前記受信装置が、複数の前記受信装置全てのビットエラーレートを確認し、自機器よりも低いビットエラーレートとなる前記受信装置を確認したとき、確認した当該受信装置を前記親機として設定するとともに、自機器を前記子機として設定するものとしても構わない。
【００１２】
更に、複数の前記受信装置が、前記送信装置又は前記送信装置に接続された機器を操作するリモートコントローラからの信号を受信し、受信した前記リモートコントローラからの信号を前記送信装置に送信することができるとともに、前記リモートコントローラからの信号を受信した前記受信装置が前記親機に設定されるものとしても構わない。このデータ通信システムにおいて、前記リモートコントローラからの信号を受信した前記受信装置が前記親機として設定されたとき、前記子機となる残りの前記受信装置による前記非同期データの送信動作が禁止されるものとしても構わない。
【００１３】
そして、前記リモートコントローラからの信号を受信した前記受信装置が前記親機として設定された後に前記子機となる残りの前記受信装置による前記非同期データの送信動作が禁止される期間が所定時間として設定され、再び前記リモートコントローラから信号が送信されずに前記所定時間が経過すると、前記子機となる前記受信装置からの前記非同期データの送信動作が許可されるものとしても構わない。
【００１４】
更に、前記リモートコントローラからの信号を受信した前記受信装置が前記親機として設定されたとき、前記親機と設定された前記受信装置から前記子機となる残りの前記受信装置に対して、前記非同期データの送信動作が禁止されることが通知されるものとしても構わない。又、前記リモートコントローラからの信号を受信した前記受信装置が前記親機として設定されたとき、前記送信装置から前記子機となる残りの前記受信装置に対して、前記非同期データの送信動作が禁止されることが通知されるものとしても構わない。
【００１５】
本発明のデータ通信装置は、無線信号を受信する受信部と、該受信部で受信した前記無線信号を復調する復調部と、該復調部で復調した信号を復号化する復号化部と、非同期データによる無線信号を送信する送信部と、前記非同期データを生成する符号化部と、前記符号化部で生成された前記非同期データを変調して前記無線信号を生成して前記送信部に与える変調部と、を備えるデータ通信装置であって、上述の前記受信装置として動作することを特徴とする。
【００１６】
又、本発明のデータ通信装置は、無線信号を受信する受信部と、該受信部で受信した前記無線信号を復調する復調部と、該復調部で復調した信号を復号化する復号化部と、同期データによる無線信号を送信する送信する送信部と、前記同期データを生成する符号化部と、前記符号化部で生成された前記同期データを変調して前記無線信号を生成して前記送信部に与える変調部と、を備えるデータ通信装置であって、上述の前記送信装置として動作することを特徴とする。
【００１７】
又、本発明のデータ通信装置は、同期データによる無線信号を受信する受信部と、該受信部で受信した前記無線信号を復調する復調部と、該復調部で復調した信号を復号化する復号化部と、非同期データによる無線信号を送信する送信部と、前記非同期データを生成する符号化部と、前記符号化部で生成された前記非同期データを変調して前記無線信号を生成して前記送信部に与える変調部と、を備えるデータ通信装置において、前記同期データによる無線信号を送信する同期データ送信装置を備えるデータ通信システムに参加したとき、該データ通信システムに参加する前記データ通信装置が自機器を含めて複数あるときに、前記データ通信装置の１台を親機と設定するとともに、残りの前記データ通信装置を子機と設定し、前記親機と設定されたとき、前記非同期データによる前記無線信号を前記同期データ送信装置に送信することが許可され、前記子機と設定されたとき、前記非同期データによる前記無線信号を前記同期データ送信装置に送信することが禁止されることを特徴とする。
【００１８】
このようなデータ通信装置において、前記子機と設定されたとき、前記非同期データによる前記無線信号を、前記データ通信システムに参加するとともに前記親機と設定された前記データ通信装置に送信し、前記親機と設定されたとき、前記データ通信システムに参加するとともに前記子機と設定された前記データ通信装置から送信された前記非同期データによる前記無線信号を前記受信部で受信し、前記復調部及び前記復号化部で処理して前記非同期データを取得すると、前記符号化部で生成された前記非同期データとともに管理した後、前記変調部で変調して前記送信部より前記同期データ送信装置に送信するものとしても構わない。
【００１９】
このように構成するとともに、前記子機と設定されたとき、前記符号化部、前記変調部、及び前記送信部の動作が停止されて、前記非同期データによる前記無線信号の送信が禁止されるものとしても構わない。
【００２０】
又、前記同期データ送信装置に送信する操作用データを送信するリモートコントローラからの該操作用データを受信する操作用データ受信部を備え、前記操作用データ受信部で前記リモートコントローラからの前記操作用データを受信したとき、親機として設定されるものとしても構わないし、電源ＯＮとなったときに、前記データ通信システムに参加する前記データ通信装置を自機器以外に確認しなかったとき、自機器を親機と設定するものとしても構わない。
【００２１】
更に、前記親機として設定されるとき、前記データ通信システムに参加する前記データ通信装置全てのビットエラーレートを確認し、自機器よりも低いビットエラーレートとなる前記データ通信装置を確認したとき、当該データ通信装置を前記親機と設定するとともに、自機器を前記子機として設定するものとしても構わない。
【発明の効果】
【００２２】
本発明によると、親機と子機とを設定し、親機のみが非同期データを送信装置へ送信することが許可されるため、従来のように、非同期データを全ての受信装置が送信するようにしたときに比べて、各受信装置が自機器の送信タイミングとなるまでの待機時間を短くすることができる。よって、各受信装置に記憶する非同期データのバッファ量を抑制することができるとともに、リアルタイム性を有する非同期データの通信を可能とすることができる。
【発明を実施するための最良の形態】
【００２３】
本発明の各実施形態において共通となるデータ通信システムの構成について、図面を参照して説明する。尚、図１は、データ通信システムの構成を示すブロック図である。又、図２は、図１のデータ通信システムにおける送信装置の内部構成を示すブロック図であり、図３は、図１のデータ通信システムにおける受信装置の内部構成を示すブロック図である。
【００２４】
図１のデータ通信システムは、コンテンツを格納した記録媒体を再生するコンテンツ記録再生装置や放送信号を受信するチューナ装置などのＡＶデータを送信するＡＶソース機器１と、ＡＶソース機器１からのＡＶデータをＴＳパケットに変換して無線ＬＡＮ技術により送信する送信装置２と、送信装置２からのＴＳパケットを受信してＡＶデータに変換する受信装置３−１〜３−ｎと、受信装置３−１〜３−ｎそれぞれから送信されるＡＶデータより映像及び音声を出力する再生出力装置４−１〜４−ｎと、ＡＶソース機器１を操作するための制御信号をＩｒＤＡ通信方式による赤外線信号として送信するリモコン５と、より構成される。
【００２５】
このようなデータ通信システムによると、送信装置２と受信装置３−１〜３−ｎとの間で無線ＬＡＮを構築するために、送信装置２が無線信号を送信するように使用しているチャンネルを受信装置３−１〜３−ｎそれぞれがサーチする。このようにして、送信装置２と受信装置３−１〜３−ｎとが同一のチャンネルを使用して、データの送受信が行われる。即ち、ＡＶソース機器１から送信装置２にＡＶデータが与えられると、送信装置２において、ＡＶデータがＴＳパケットに変換されて、無線ＬＡＮによる無線信号として送信される。
【００２６】
そして、無線ＬＡＮによる無線信号を受信装置３−１〜３−ｎが受信すると、無線信号より得られるＴＳパケットをＡＶデータに変換して、受信装置３−１〜３−ｎそれぞれに接続されている再生出力装置４−１〜４−ｎに与えられる。よって、再生出力装置４−１〜４−ｎそれぞれにおいて、ＡＶデータに基づく映像及び音声が再生出力される。又、このとき、受信装置３−１〜３−ｎでは、データ破損したＴＳパケットを受信したとき、このデータ破損したＴＳパケットの再送を求めるための再送要求信号が無線ＬＡＮを利用して送信される。更に、リモコン５が操作されてリモコンスルーデータがＩｒＤＡ通信により再生出力装置４−１〜４−ｍのいずれかに送信されると、このリモコンスルーデータが無線ＬＡＮを利用して送信される。尚、この再送要求信号及びリモコンスルーデータの送信動作については、各実施形態において説明する。
【００２７】
送信装置２では、無線ＬＡＮを利用して送信される再送要求信号を受信すると、再送要求信号によって再送が要求されているＴＳパケットを確認すると、確認したＴＳパケットを読み出し、現在得られたＡＶデータによるＴＳパケットとともに再送するＴＳパケットを送信する。又、無線ＬＡＮを利用して送信されるリモコンスルーデータを受信すると、赤外線信号に変換してＩｒＤＡ通信によりＡＶソース機器１に送信する。このとき、ＡＶソース機器１が赤外線信号を受信し、この赤外線信号によるリモコンスルーデータに基づく動作を行う。
【００２８】
このようなデータ通信システムにおける送信装置２の構成を、図２を参照して説明する。図２に示す送信装置２は、ＡＶソース機器１からのＡＶデータが入力される入力インターフェース（Ｉ／Ｆ）２０１と、入力Ｉ／Ｆ２０１より入力されたＡＶデータをＭＰＥＧ（Moving Picture Expert Group）符号化により圧縮符号化するとともにＴＳパケットを生成するＴＳ処理部２０２と、受信装置３に送信するデータをＢＰＳＫ（Binary Phase Shift Keying）、ＱＰＳＫ（Quadrature Phase Shift Keying）、ＱＡＭ（Quadrature Amplitude Modulation）などのデジタル変調方式に基づいて変調する変調部２０３と、変調部２０３で変調されたデータをＳＳ方式やＯＦＤＭ方式などの伝送方式に応じた信号とするとともにアナログ信号に変換してベースバンド（ＢＢ）信号を生成するＢＢ部２０４と、ＢＢ部２０４のＢＢ信号を使用している周波数チャンネルの搬送波周波数に重畳して高周波（ＲＦ）信号に変換するＲＦ部２０５と、ＲＦ部２０５からのＲＦ信号を送信するアンテナ２０６と、を備える。
【００２９】
又、この送信装置２は、ＲＦ部２０５においてアンテナ２０６で受信したＲＦ信号を検波することでＢＢ信号を生成し、ＢＢ部２０４によってデジタル信号に変換するとともに伝送方式に基づいてデジタル変調されたデータを取得する。そして、送信装置２は、ＢＢ部２０４で取得されたデータをデジタル変調方式に基づいて復調してＴＳパケットを取得する復調部２０７と、復調部２０７で取得したＴＳパケットより再送要求データを取得して再送が要求されるＴＳパケットを確認する再送要求確認部２０８と、復調部２０７で取得したＴＳパケットよりリモコンスルーデータを取得するリモコンスルーデータ生成部２０９と、リモコンスルーデータ生成部２０９で得られたリモコンスルーデータをＩｒＤＡ通信方式による赤外線信号に変換して出力するＩｒＤＡ送信部２１０と、送受信タイミング及び復調部２０７で取得したＴＳパケットの振り分けなどの装置全体の制御を行う制御部２１１と、を備える。
【００３０】
この送信装置２によると、ＡＶソース機器１から入力Ｉ／Ｆ２０１にＡＶデータが入力されると、ＴＳ処理部２０２によって、ＭＰＥＧ符号化方式に従って、ＡＶデータがデジタル化されてＥＳ（Elementary Stream）が生成された後、このＥＳがパケット符号化されることでＴＳパケットが生成される。そして、この生成されたＴＳパケットは、再生装置３−１〜３−ｎからの再送要求に対応するために所定期間の間、ＴＳ処理部２０２内で一時的に格納され、格納されてから所定期間が経過すると、消去される。
【００３１】
このようにして得られたＴＳパケットは、変調部２０３に与えられてデジタル変調方式に基づいて変調された後、ＢＢ部２０４で所定の伝送方式に基づいて処理されることでＢＢ信号に変換されると、ＲＦ部２０５で、周波数チャンネルの搬送波周波数に周波数変換されることでＲＦ信号としてアンテナ２０６より送信される。又、受信装置３−１〜３−ｎからのＲＦ信号をアンテナ２０６で受信すると、ＲＦ部２０５で周波数変換されてＢＢ信号が取得された後、ＢＢ部２０４で所定の伝送方式に基づいてＢＢ信号が処理されるとともに、復調部２０７でデジタル変調方式に基づいて復調されてＴＳパケットが得られる。
【００３２】
このＴＳパケットが再送要求データを構成することを確認したとき、再送要求確認部２０８で復号化されることで、再送要求データによって再送が要求されるＴＳパケットが確認される。そして、再送要求確認部２０８が、再送要求されたＴＳパケットを変調部２０３に与えるように、ＴＳ処理部２０２に指示する。よって、再送要求されたＴＳパケットが、ＴＳ処理部２０２で現在生成されたＴＳパケットとともに変調部２０３に与えられて変調された後、ＢＢ部２０４及びＲＦ２０５を介して、アンテナ２０６より送信される。
【００３３】
又、復調部２０７で得られたＴＳパケットがリモコンスルーデータを構成することを確認したとき、リモコンスルーデータ生成部２０９で復号化されることで、ＡＶソース機器１を操作するためのリモコンスルーデータが得られる。そして、このリモコンスルーデータがＩｒＤＡ送信部２１０に与えられると、ＩｒＤＡ通信方式の赤外線信号に変換され、赤外線発光素子を発光させることで、ＡＶソース機器１に赤外線信号として送信される。
【００３４】
更に、図１に示すデータ通信システムにおける受信装置３−１〜３−ｎの構成を、図３を参照して説明する。図３に示す受信装置３（図１の受信装置３−１〜３−ｎに相当する）は、送信装置２又は他の受信装置３からのＲＦ信号を受信するアンテナ３０１と、アンテナ３０１で受信したＲＦ信号を検波することでＢＢ信号を取得するＲＦ部３０２と、ＲＦ部３０２で取得したＢＢ信号を所定の伝送方式でデジタル変調された信号に変換するＢＢ部３０３と、ＢＢ部３０３で得られた信号をデジタル変調方式に基づいて復調してＴＳパケットを取得する復調部３０４と、復調部３０４で取得されたＴＳパケットよりＡＶデータを取得するＭＰＥＧ復号化部３０５と、ＭＰＥＧ復号化部で得られたＡＶデータを再生出力装置４（図１の再生出力装置４−１〜４−ｎに相当する）に出力する出力Ｉ／Ｆ３０６と、を備える。
【００３５】
又、この受信装置３は、ＭＰＥＧ復号化部３０５で復号化されたＴＳパケットが破損しているか否かを確認して破損している場合は再送要求データとなるＴＳパケットを生成する再送要求管理部３０７と、リモコン５からの赤外線信号を受信してリモコンスルーデータを取得するＩｒＤＡ受信部３０８と、ＩｒＤＡ受信部３０８からのリモコンスルーデータの管理を行うとともにリモコンスルーデータによるＴＳパケットの生成を行うリモコン管理部３０９と、再送要求管理部３０７及びリモコン管理部３０９で得られたＴＳパケットをデジタル変調方式によって変調する変調部３１０と、送受信タイミングなどの装置全体の制御を行う制御部３１１と、を備える。そして、この受信装置３は、変調部３１０で変調された信号がＢＢ部３０３に与えられて所定の伝送方式で処理されてＢＢ信号とするとともに、ＲＦ部３０２で搬送波周波数に重畳することでＲＦ信号に変換して、アンテナ３０１より送信する。
【００３６】
この受信装置３によると、送信装置２からのＲＦ信号をアンテナ３０１によって受信すると、ＲＦ部３０２において検波されるとともに周波数変換されることでＢＢ信号が得られとともに、このＢＢ信号がＢＢ部３０３で所定の伝送方式で処理された後、復調部３０４で所定のデジタル変調方式に従って復調されることで、ＡＶデータによるＴＳパケットが得られる。そして、このＡＶデータによるＴＳパケットがＭＰＥＧ復号化部３０５に与えられると、ＭＰＥＧ符号化方式に従って復号化されてＥＳが得られるとともに、ＥＳからＡＶデータが生成される。
【００３７】
このとき、ＭＰＥＧ復号化部３０５では、ＴＳパケットの復号化を行ったときに、復号化を正常に行うことができるか否かを確認することで、取得したＴＳパケットが破損しているか否かを確認する。そして、ＴＳパケットが正常に復号化された場合、得られたＡＶデータが出力Ｉ／Ｆ３０６を介して再生出力装置４に出力され、再生出力装置４において、映像及び音声が出力される。又、ＴＳパケットが正常に復号化されず、ＴＳパケットに異常が確認された場合、異常が確認されたＴＳパケットが再送要求管理部３０７に通知される。よって、再送要求管理部３０７によって、異常が確認されたＴＳパケットの再送を要求するための再送要求データが生成され、この再送要求データとなるＴＳパケットが変調部３１０に与えられる。
【００３８】
又、リモコン５から送信された赤外線信号をＩｒＤＡ受信部３０８の赤外線受光素子で受信すると、赤外線信号をＩｒＤＡ通信方式に従って処理することでリモコンスルーデータを取得する。そして、ＩｒＤＡ受信部３０８で取得したリモコンスルーデータがリモコン管理部３０９に与えられると、パケット化されてＴＳパケットが得られて、変調部３１０に与えると、このＴＳパケットがデジタル変調方式により変調された後、ＢＢ部３０３で所定の伝送方式で処理されてＢＢ信号に変換される。このようにして得られたＢＢ信号がＲＦ部３０２で搬送波周波数に重畳されることでＲＦ信号とされ、アンテナ３０１より送信される。
【００３９】
又、他の受信装置３からのＲＦ信号をアンテナ３０１で受信したとき、ＲＦ部３０２及びＢＢ部３０３及び復調部３０４それぞれで処理されることによって、受信したＲＦ信号から再送要求データ及びリモコンスルーデータとなるＴＳパケットを確認する。そして、再送要求データを含むＴＳパケットが再送要求管理部３０７に与えられ、又、リモコンスルーデータを含むリモコン管理部３０９に与えられる。この再送要求管理部３０７及びリモコン管理部３０９における詳細な動作については、後述する。
【００４０】
このような送信装置２及び受信装置３−１〜３−ｎによって構成されるデータ通信システムにおいて、第１〜第３の実施形態では、受信装置３−１〜３−ｎ間の内の１台の受信装置３が親機となり、リモコンスルーデータ及び再送要求データの管理を行い、送信装置２にリモコンスルーデータ及び再送要求データを送信する。このとき、親機となる受信装置３以外のｎ−１台の受信装置３が子機となり、リモコンスルーデータ及び再送要求データを親機となる受信装置３に送信する。
【００４１】
この親機及び子機として動作する受信装置３−１〜３−ｎと送信装置２とが正常に通信を行うために、図４に示すように、送信装置２からＡＶデータが送信されるタイミングＴ１と、受信装置３−１〜３−ｎの間で通信が行われて親機となる受信装置３にリモコンスルーデータ及び再送要求データが送信されるタイミングＴ２と、親機となる受信装置３から送信装置２にリモコンスルーデータ及び再送要求データが送信されるタイミングＴ３と、が設定される。このタイミングＴ１〜Ｔ３が、送信装置２及び受信装置３−１〜３−ｎの間で設定され、送信装置２の制御部２１１及び受信装置３−１〜３−ｎの制御部３１１で確認される。
【００４２】
即ち、タイミングＴ１において、送信装置２からＡＶデータによるＲＦ信号が送信されると、このＲＦ信号を受信装置３−１〜３−ｎが受信される。又、タイミングＴ２において、リモコンスルーデータ及び再送要求データによるＲＦ信号が、受信装置３−１〜３−ｎのうち子機となる受信装置３から親機となる受信装置３に送信される。そして、親機となる受信装置３によって、受信装置３−１〜３−ｎ全てにおけるリモコンスルーデータ及び再送要求データが管理される。この管理されたリモコンスルーデータ及び再送要求データによるＲＦ信号が、親機となる受信装置３から送信装置２に送信される。
【００４３】
この図４に示す各送信タイミングＴ１〜Ｔ３において、タイミングＴ１，Ｔ２の切り換えが、送信装置２及び受信装置３−１〜３−ｎで管理され、又、タイミングＴ２，Ｔ３の切り換えは、親機となる受信装置３によって管理される。このとき、親機となる受信装置３では、送信装置２と通信を行う受信装置３−１〜３−ｎを認識し、制御部３１１において記憶される。よって、親機となる受信装置３では、制御部３１１に記憶した受信装置３−１〜３−ｎを確認することで、リモコンスルーデータ及び再送要求データによるＲＦ信号が子機となる受信装置３全てから送信されたか確認される。以下に、親機となる受信装置３によるタイミングＴ２，Ｔ３の切り換え管理動作について、図５のフローチャートを参照して説明する。
【００４４】
送信装置２及び受信装置３−１〜３−ｎそれぞれにおいて、送信装置２からの送信タイミングＴ１が終了して、受信装置３−１〜３−ｎ間での送信タイミングＴ２に切り替わったことが確認されると、親機となる受信装置３において、図５のフローチャートによるタイミングＴ２，Ｔ３の切り換え管理動作が開始する。
【００４５】
このとき、親機となる受信装置３では、まず、ＲＦ部３０２及びＢＢ部３０３において、子機となる受信装置３からのＲＦ信号の受信の確認を行う（ＳＴＥＰ１）。そして、子機となる受信装置３からのＲＦ信号の受信を確認すると（Ｙｅｓ）、このＲＦ信号から取得されるＴＳパケットが復調部３０４によって取得されて、このＴＳパケットのヘッダによって子機となる受信装置３が確認される（ＳＴＥＰ２）。その後、ＴＳパケットが再送要求データである場合は再送要求管理部３０７に与え、又、ＴＳパケットがリモコンスルーデータである場合はリモコン管理部３０９に与え、データの管理が行われる（ＳＴＥＰ３）。尚、このとき、ＴＳパケットに再送要求データ及びリモコンスルーデータの内容がない場合は、子機となる受信装置３との通信が確認され、そのＴＳパケットが破棄される。
【００４６】
このＳＴＥＰ３でのデータの管理が行われるとき、再送要求管理部３０７では、再送を求めるＴＳパケットを示す再送要求データを一時的に記憶するが、再送を求めるＴＳパケットが既に記憶されている再送要求データによって示されるＴＳパケットと同一である場合は、新たに確認された再送要求データを破棄する。又、リモコン管理部３０９では、受信装置３−１〜３−ｎの親機及び子機の関係に応じて、送信装置２に送信するリモコンスルーデータが選択される。そして、制御部３１１において、送信装置２と通信を行う受信装置として記憶された子機となる受信装置３全てとの通信が完了したか否かが確認される（ＳＴＥＰ４）。
【００４７】
このとき、子機となる受信装置３全てとの通信が完了したことが確認されると（Ｙｅｓ）、送信タイミングをタイミングＴ２からタイミングＴ３に切り換える（ＳＴＥＰ５）。よって、再送要求管理部３０７で記憶された再送要求データがＴＳパケットとして変調部３１０に与えられるとともに、リモコン管理部３０９で記憶されたリモコンスルーデータがＴＳパケットとして変調部３１０に与えられる。そして、変調部３１０において、与えられたＴＳパケットをデジタル変調した後、ＲＦ部３０２及びＢＢ部３０３においてＲＦ信号に変換して、アンテナ３０１より送信機２に送信する。一方、まだ通信が完了していない子機となる受信装置３が存在する場合（Ｎｏ）、再び、ＳＴＥＰ１に移行して、子機となる受信装置３からのＲＦ信号の受信を確認する。
【００４８】
このようなデータ通信システムの各実施形態について、以下に説明する。
【００４９】
＜第１の実施形態＞
本発明の第１の実施形態について、図面を参照して説明する。本実施形態におけるデータ通信システムにおいては、上述のような構成及び動作を行うとともに、受信装置同士において親機及び子機の設定が行われる。以下では、この受信装置同士における親機及び子機の設定について、図面を参照して説明する。尚、図６は、受信装置における親機及び子機の設定動作を示すフローチャートである。
【００５０】
本実施形態におけるデータ通信システムでは、受信装置３が、図６のフローチャートのように動作する。この受信装置３の動作について、以下に説明する。受信装置３の電源がＯＮとされると（ＳＴＥＰ１１）、まず、ＲＦ部３０２で選局動作を行うことによって、送信装置２がＲＦ信号を送信するために使用しているチャンネルを選局し、その搬送波周波数を確認する（ＳＴＥＰ１２）。そして、送信タイミングＴ２，Ｔ３となったときに、他の受信装置３からのＲＦ信号の送信の有無が確認される（ＳＴＥＰ１３）。
【００５１】
このとき、受信したＲＦ信号より得られたＢＢ信号を復調部３０４で復調する際に、ＢＢ信号のヘッダより他の受信装置３からのＲＦ信号の送信を確認すると（Ｙｅｓ）、制御部３１１において、自機器が子機として動作するように設定する（ＳＴＥＰ１４）。そして、制御部３１１において、新たにデータ通信システムに子機として参加することを示す信号を生成し、変調部３１０で変調した後、ＢＢ部３０３及びＲＦ部３０２によってＲＦ信号とし、アンテナ３０１より親機となる受信装置３に送信する（ＳＴＥＰ１５）。
【００５２】
一方、送信タイミングＴ２，Ｔ３において、他の受信装置３からのＲＦ信号の受信がなく、送信タイミングＴ１に切り替わり、復調部３０４で復調する際に、ＢＢ信号のヘッダより送信装置２からのＲＦ信号の受信を確認すると（Ｎｏ）、制御部３１１において、自機器が親機として動作するように設定する（ＳＴＥＰ１６）。このように親機として動作するように設定することで、新たにデータ通信システムに参加した他の受信装置３からのＲＦ信号を受信し、受信したＲＦ信号より得られるＢＢ信号を復調したときに確認されるヘッダより、子機となる受信装置３を認識して制御部３１１に記憶する。
【００５３】
その後、送信タイミングＴ２より受信した子機となる受信装置３からのＲＦ信号より得られる再送要求データ及びリモコンスルーデータをそれぞれ、再送要求管理部３０７及びリモコン管理部３０９それぞれで管理する。そして、送信タイミングＴ３に切り変わったことを確認すると、再送要求管理部３０７及びリモコン管理部３０９それぞれで管理された再送要求データ及びリモコンスルーデータとなるＴＳパケットを生成する。このＴＳパケットを変調部３１０でデジタル変調した後、ＢＢ部３０３及びＲＦ部３０２を介してＲＦ信号とし、アンテナ３０１より送信装置２に送信する。
【００５４】
＜第２の実施形態＞
本発明の第２の実施形態について、図面を参照して説明する。本実施形態におけるデータ通信システムにおいては、上述のような構成及び動作を行うとともに、受信装置同士において親機及び子機の設定が行われる。以下では、この受信装置同士における親機及び子機の設定について、図面を参照して説明する。尚、図７は、受信装置における親機及び子機の設定動作を示すフローチャートである。又、図７のフローチャートにおいて、図６のフローチャートと同一の目的とするステップについては、同一の符号を付してその詳細な説明は省略する。
【００５５】
本実施形態におけるデータ通信システムでは、第１の実施形態と異なり、親機となる受信装置３において、現在データ通信システムに参加している受信装置３全てのＢＥＲ（Bit Error Rate）を確認し、そのＢＥＲが低い受信装置３を親機とするように設定する。尚、本実施形態においても、受信装置３がデータ通信システムに参加するとき、第１の実施形態と同様、既に親機となる受信装置３の存否に応じて親機及び子機が設定されるものとする。
【００５６】
即ち、図７のフローチャートに示すように、第１の実施形態と同様、受信装置３が電源ＯＮとされると（ＳＴＥＰ１１）、データ通信システムで使用されるチャンネルの搬送波周波数が確認された後、他の受信装置３からのＲＦ信号の送信の有無が確認される（ＳＴＥＰ１２，ＳＴＥＰ１３）。そして、他の受信装置３からのＲＦ信号を確認したとき、子機として動作して自機器が参加したことを通知し（ＳＴＥＰ１４，ＳＴＥＰ１５）、又、他の受信装置３からのＲＦ信号を確認しなかったとき、親機として動作する（ＳＴＥＰ１６）。
【００５７】
このようにして親機及び子機が設定されるとき、ＳＴＥＰ１６で親機として動作する場合、制御部３１１に備えられる不図示のタイマが初期化されて、ＢＥＲの測定タイミングを確認するためのタイマ計測が開始される（ＳＴＥＰ２１）。その後、制御部３１１において、電源がＯＦＦされるように操作されたか否かを確認する（ＳＴＥＰ２２）。このとき、電源ＯＦＦの指示がなされていない場合（Ｎｏ）、制御装置３１１において、タイマによる計測時間によりＢＥＲの測定タイミングであるか否かが確認される（ＳＴＥＰ２３）。
【００５８】
そして、ＢＥＲの測定タイミングでない場合は（Ｎｏ）、ＳＴＥＰ２２に移行して電源のＯＦＦが確認され、一方、ＢＥＲの測定タイミングである場合は（Ｙｅｓ）、データ通信システムに参加している自機器を含む受信装置３全てのＢＥＲの測定を行う（ＳＴＥＰ２４）。このように動作するとき、この親機となる受信装置３では、ＢＥＲの測定タイミングとなるまで、送信タイミングＴ２毎に、再送要求管理部３０７において、子機となる受信装置３それぞれから送信される再送要求データにより確認された再送要求するＴＳパケットのパケット数が子機となる受信装置３毎に記憶されるとともに、親機となる自機器において再送要求されるＴＳパケットのパケット数が記憶される。そして、このＢＥＲの測定タイミングとなると、自機器を含む受信装置３それぞれに対して、記憶した再送要求したＴＳパケットのパケット総数を確認し、各受信装置３のＢＥＲを測定する。
【００５９】
このようにして、ＳＴＥＰ２４において、データ通信システムに参加している自機器を含む受信装置３それぞれのＢＥＲを測定すると、親機である自機器のＢＥＲよりもＢＥＲが低くなる子機となる受信装置３の存否が確認される（ＳＴＥＰ２５）。そして、ＳＴＥＰ２５において、自機器のＢＥＲよりもＢＥＲが低くなる子機となる受信装置３が確認されなかったとき（Ｎｏ）、ＳＴＥＰ２１に移行してタイマ（不図示）がリセットされ、一方、ＳＴＥＰ２５において、自機器のＢＥＲよりもＢＥＲが低くなる子機となる受信装置３が確認されたとき（Ｙｅｓ）、確認された子機となる受信装置３を親機とする通知信号（以下、「親機通知信号」とする）を制御部３１１で生成して送信する（ＳＴＥＰ２６）。
【００６０】
即ち、親機通知信号を変調部３１０でデジタル変調した後、ＢＢ部３０３及びＲＦ部３０２を介してＲＦ信号とし、アンテナ３０１より送信装置２に送信する。その後、子機として動作するように設定されて（ＳＴＥＰ２７）、後述するＳＴＥＰ３１の動作状態に移行する。又、親機通知信号には、現在データ通信システムに参加している受信装置３全てを示すデータが含まれるとともに、次に親機となる受信装置３を示すデータが含まれる。よって、次回より親機として動作する受信装置３では、現在データ通信システムに参加している受信装置３全てが親機通知信号によって確認される。
【００６１】
又、ＳＴＥＰ２２において、電源ＯＦＦの指示が成された場合（Ｙｅｓ）、データ通信システムに参加している自機器を含む受信装置３全てのＢＥＲの測定を行うとともに、そのＢＥＲが最低となる自機器以外の受信装置３を確認する（ＳＴＥＰ２８）。そして、ＳＴＥＰ２６と同様、ＢＥＲが最低となる自機器以外の受信装置３を親機とすることを通知する親機通知信号を制御部３１１で生成して送信し（ＳＴＥＰ２９）、自機器の電源をＯＦＦとする（ＳＴＥＰ３０）。このとき、親機通知信号には、現在データ通信システムに参加している受信装置３から自機器を除いた受信装置３がデータ通信システムに参加していることを示すデータが含まれる。
【００６２】
尚、ＳＴＥＰ２４、ＳＴＥＰ２５、及びＳＴＥＰ２８の動作が、送信タイミングＴ２に切り替わってから、子機となる送信装置３からのＲＦ信号を全て受信した後に行われる場合、送信タイミングＴ３に切り換えて、再送要求データ及びリモコンスルーデータを含むＲＦ信号を送信装置２に送信した後、ＳＴＥＰ２６及びＳＴＥＰ２９において、親機を切り換えることを示す親機通知信号を送信する。又、ＳＴＥＰ２４、ＳＴＥＰ２５、及びＳＴＥＰ２８の動作が、送信タイミングＴ２に切り替わった瞬間に、子機となる送信装置３からのＲＦ信号を受信する前に行われる場合、ＳＴＥＰ２６及びＳＴＥＰ２９において、親機を切り換えることを示す親機通知信号を送信する。その後、新たに子機となる自機器を含む子機となる受信装置３から再送要求データ及びリモコンスルーデータを含むＲＦ信号が、新たに親機となった受信装置３に送信され、送信タイミングＴ３に切り替わる。
【００６３】
ＳＴＥＰ１５又はＳＴＥＰ２７の動作が行われて子機として動作するように設定されたとき、まず、制御部３１１において、電源がＯＦＦされるように操作されたか否かを確認する（ＳＴＥＰ３１）。このとき、電源ＯＦＦの指示がなされていない場合（Ｎｏ）、親機として動作している送信装置３から、自機器を親機とすることを示す親機通知信号となるＲＦ信号が送信されたか否かが確認される（ＳＴＥＰ３２）。
【００６４】
そして、この親機通知信号となるＲＦ信号をアンテナ３０１で受信して、ＲＦ部３０２及びＢＢ部３０３を介して復調部３０４で復調されて、親機通知信号が確認されると（Ｙｅｓ）、制御部３１１によって親機として動作するように設定して（ＳＴＥＰ３３）、ＳＴＥＰ２１に移行する。このとき、現在データ通信システムに参加している受信装置３全てを親機通知信号より確認し、制御部３１１に記憶する。一方、親機通知信号となるＲＦ信号が受信されなかった場合は（Ｎｏ）、ＳＴＥＰ３１に移行して、電源ＯＦＦが指示されたか否かが確認される。
【００６５】
又、ＳＴＥＰ３１において、電源ＯＦＦの指示がなされたことが確認されると（Ｙｅｓ）、親機となる受信装置３に対して、電源ＯＦＦとなりデータ通信システムから離脱することを通知するための通知信号（以下、「離脱通知信号」とする）を制御部３１１で生成して送信し（ＳＴＥＰ３４）、電源ＯＦＦとなる（ＳＴＥＰ３５）。この離脱通知信号が親機となる受信装置３が受信すると、制御部３１１で記憶している現在データ通信システムに参加している受信装置３を、その記憶から削除する。
【００６６】
本実施形態において、上述のように動作するとき、親機通知信号が、子機のまま動作する受信装置３において受信されるものとしても構わない。このとき、子機のまま動作する受信装置３において親機通知信号が受信されることで、次回より親機として動作する受信装置３を確認することができる。又、本実施形態において、子機として動作する受信装置３においても、ＢＥＲが測定されるタイミングが認識されるものとし、親機及び子機として動作する受信装置３が同期して、子機となる受信装置３が親機通知信号の有無を確認するものとしても構わない。
【００６７】
更に、本実施形態において、第１の実施形態において、まず、電源をＯＮとした順番により親機となる受信装置３が設定されるものとしたが、新たにデータ通信システムに参加した受信装置３が確認されると、この受信装置３を含む全ての受信装置３のＢＥＲが確認されて、最も低いＢＥＲとなる受信装置３が親機として設定されるものとしても構わない。
【００６８】
＜第３の実施形態＞
本発明の第３の実施形態について、図面を参照して説明する。本実施形態におけるデータ通信システムにおいては、上述のような構成及び動作を行うとともに、受信装置同士において親機及び子機の設定が行われる。以下では、この受信装置同士における親機及び子機の設定について、図面を参照して説明する。尚、図８は、受信装置における親機及び子機の設定動作を示すフローチャートである。又、図８のフローチャートにおいて、図７のフローチャートと同一の目的とするステップについては、同一の符号を付してその詳細な説明は省略する。
【００６９】
本実施形態におけるデータ通信システムでは、第１の実施形態と異なり、リモコン５からの赤外線信号を受信した受信装置３が親機として設定される。尚、本実施形態においても、受信装置３がデータ通信システムに参加するとき、第１及び第２の実施形態と同様、既に親機となる受信装置３の存否に応じて親機及び子機が設定されるものとする。即ち、図８のフローチャートに示すように、第１の実施形態と同様、受信装置３が電源ＯＮとされると、使用チャンネルの搬送波周波数が確認された後、他の受信装置３が既にデータ通信システムに参加しているか否かが確認される（ＳＴＥＰ１１〜ＳＴＥＰ１３）。そして、他の受信装置３からのＲＦ信号を確認したとき、子機として動作して自機器が参加したことを通知し（ＳＴＥＰ１４，ＳＴＥＰ１５）、一方、他の受信装置３からのＲＦ信号を確認しなかったとき、親機として動作する（ＳＴＥＰ１６）。
【００７０】
このようにして親機及び子機が設定されるとき、ＳＴＥＰ１６で親機として動作する場合、まず、電源がＯＦＦされるように操作されたか否かを確認する（ＳＴＥＰ２２）。このとき、電源ＯＦＦの指示がなされていない場合（Ｎｏ）、送信タイミングＴ２において、子機として動作している受信装置３から送信されるＲＦ信号から、リモコンスルーデータとなるＴＳパケットの有無が確認される（ＳＴＥＰ４１）。そして、受信したＲＦ信号を処理することで得られたＴＳパケットよりリモコンスルーデータとなるＴＳパケットが確認されて、このリモコンスルーデータとなるＴＳパケットがリモコン管理部３０９に与えられると（Ｙｅｓ）、このリモコンスルーデータによるＲＦ信号を送信した受信装置３が確認される（ＳＴＥＰ４２）。
【００７１】
その後、リモコンスルーデータによるＲＦ信号を送信した受信装置３を親機とする親機通知信号を制御部３１１で生成して送信する（ＳＴＥＰ２６）。その後、子機として動作するように設定されて（ＳＴＥＰ２７）、ＳＴＥＰ３１に移行して、電源がＯＦＦされるように操作されたか否かを確認する。又、ＳＴＥＰ４１において、復調部３０４より与えられるＴＳパケットよりリモコンスルーデータとなるＴＳパケットが確認されなかったときは（Ｎｏ）、ＳＴＥＰ２２に移行して、電源がＯＦＦされるように操作されたか否かを確認する。
【００７２】
又、ＳＴＥＰ２２において、電源ＯＦＦの指示が成された場合（Ｙｅｓ）、第２の実施形態と同様、データ通信システムに参加している自機器を含む受信装置３全てのＢＥＲの測定を行い、ＢＥＲが最低となる自機器以外の受信装置３を確認する（ＳＴＥＰ２８）。そして、ＢＥＲが最低となる自機器以外の受信装置３を親機とすることを通知する親機通知信号を制御部３１１で生成して送信し（ＳＴＥＰ２９）、自機器の電源をＯＦＦとする。
【００７３】
ＳＴＥＰ１５又はＳＴＥＰ２７の動作が行われて子機として動作するように設定されたとき、第２の実施形態と同様、電源がＯＦＦされるように操作されたか否かを確認する（ＳＴＥＰ３１）。このとき、電源ＯＦＦの指示がなされていない場合（Ｎｏ）、リモコン５からの赤外線信号をＩｒＤＡ受信部３０８で受信したか否かが確認される（ＳＴＥＰ４３）。そして、リモコン５からの赤外線信号の受信を確認すると（Ｙｅｓ）、リモコンスルーデータによるＴＳパケットをリモコン管理部３０９によって生成し、変調部３１０でデジタル変調した後、ＢＢ部３０３及びＲＦ部３０２によってＲＦ信号として、アンテナ３０１より送信する（ＳＴＥＰ４４）。
【００７４】
その後、親機となる受信装置３からの親機通知信号を受信すると（ＳＴＥＰ４５）、制御部３１１によって親機として動作するように設定して（ＳＴＥＰ３３）、ＳＴＥＰ２２に移行する。このとき、親機通知信号より、現在データ通信システムに参加している受信装置３を確認する。又、ＳＴＥＰ４３において、リモコン５からの赤外線信号の受信がなかったとき（Ｎｏ）、自機器を親機とすることを示す親機通知信号となるＲＦ信号が送信されたか否かが確認される（ＳＴＥＰ３２）。そして、親機通知信号となるＲＦ信号を受信したとき（Ｙｅｓ）、ＳＴＥＰ３３に移行して親機として設定され、一方、親機通知信号となるＲＦ信号を受信しなかったとき（Ｎｏ）、ＳＴＥＰ３１に移行して、電源がＯＦＦとされたか否かが確認される。
【００７５】
更に、ＳＴＥＰ３１において、電源ＯＦＦの指示がなされたことが確認されると（Ｙｅｓ）、第２の実施形態と同様、親機となる受信装置３に対して、電源ＯＦＦとなりデータ通信システムから離脱することを通知するための離脱通知信号を制御部３１１で生成して送信し（ＳＴＥＰ３４）、電源ＯＦＦとなる（ＳＴＥＰ３５）。
【００７６】
本実施形態において、上述のように動作するとき、送信タイミングＴ３に切り替わったとき、現在親機として動作している受信装置３から送信装置２に再送要求データ及びリモコンスルーデータを示すＲＦ信号が送信された後、新たに親機として設定する受信装置３が次回から親機として動作するものとしても構わない。又、送信タイミングＴ２に切り替わったとき、リモコンスルーデータを示すＲＦ信号が最初に送信されるものと規定し、新たに親機として設定する受信装置３が即座に設定され、子機として動作する他の受信装置３から再送要求データを示すＲＦ信号が送信されるものとしても構わない。そして、送信タイミングＴ３に切り替わり、この新たに親機として設定された受信装置３から送信装置２に再送要求データ及びリモコンスルーデータを示すＲＦ信号が送信される。
【００７７】
＜第４の実施形態＞
本発明の第４の実施形態について、図面を参照して説明する。本実施形態におけるデータ通信システムにおいては、第１〜第３の実施形態と異なり、リモコンからの赤外線信号を受信装置が受信したとき、この赤外線信号を受信した受信装置以外の受信装置からの再送要求データの送信が禁止される。
【００７８】
本実施形態におけるデータ通信システムでは、第１〜第３の実施形態と異なり、データ通信システムに参加している受信装置３−１〜３−ｎそれぞれが、再送要求データ及びリモコンスルーデータを含むＲＦ信号を送信装置２に送信する。即ち、受信装置３−１〜３−ｎがポーリング動作を行い、受信装置３−１〜３−ｎそれぞれの送信タイミングが設定され、受信装置３−１〜３−ｎそれぞれが自機器の送信タイミングにおいて、送信装置２へのＲＦ信号の送信動作を行う。このとき、受信装置３（図１の受信装置３−１〜３−ｎに相当する）が、図９のフローチャートのように動作する。
【００７９】
この受信装置３の動作について、図９のフローチャートを参照して以下に説明する。データ通信システムに参加している受信装置３は、電源ＯＮとされると、まず、電源がＯＦＦとすることが指示されたか否かが確認される（ＳＴＥＰ５０）。そして、電源ＯＦＦの指示がないことを確認すると（Ｙｅｓ）、リモコン５からの赤外線信号をＩｒＤＡ受信部３０８で受信したか否かを確認する（ＳＴＥＰ５１）。このとき、リモコン５からの赤外線信号をＩｒＤＡ受信部３０８で受信したことを確認すると（Ｙｅｓ）、制御部３１１に備えられる不図示のタイマが初期化されて、他の受信装置３における再送要求データの送信を禁止する禁止期間を測定するためのタイマ計測が開始される（ＳＴＥＰ５２）。
【００８０】
そして、送信タイミングＴ２になると、制御部３１１において、他の受信装置３における再送要求データの送信を禁止するための通知信号（以下、「禁止通知信号」とする）を生成して、変調部３１０で変調した後、ＢＢ部３０３及びＲＦ部３０２によってＲＦ信号とし、アンテナ３０１より親機となる受信装置３に送信する（ＳＴＥＰ５３）。このように禁止通知信号を送信することで、この禁止通知信号を受信した他の受信装置３が、再送要求データの送信を停止する。
【００８１】
その後、送信タイミングＴ３に切り換え、ＩｒＤＡ受信部３０８で受信した赤外線信号より確認されるリモコンスルーデータによるＴＳパケットをリモコン管理部３０９で生成し、変調部３１０で変調した後、ＢＢ部３０３及びＲＦ部３０２によってＲＦ信号とし、アンテナ３０１より送信装置２に送信する（ＳＴＥＰ５４）。そして、制御部３１１のタイマによる計測時間を確認し、禁止期間が終了したか否かが確認される（ＳＴＥＰ５５）。
【００８２】
このとき、禁止期間が終了したことを確認すると（Ｙｅｓ）、他の受信装置３で禁止されている再送要求データの送信を許可するための通知信号（以下、「解除通知信号」とする）を生成して、変調部３１０で変調した後、ＢＢ部３０３及びＲＦ部３０２によってＲＦ信号とし、アンテナ３０１より他の受信装置３に送信する（ＳＴＥＰ５６）。このように解除通知信号を送信タイミングＴ２の間に送信することで、この解除通知信号を受信した他の受信装置３が、再送要求データの送信を再開する。
【００８３】
又、ＳＴＥＰ５１において、ＩｒＤＡ受信部３０８でリモコン５からの赤外線信号の受信を確認しなかったとき（Ｎｏ）、禁止通知信号となるＲＦ信号を受信したか否かが確認される（ＳＴＥＰ５７）。このとき、禁止通知信号となるＲＦ信号の受信が確認されない場合（Ｎｏ）、他の通信装置３における再送要求データの送信を禁止する禁止期間であるか否かを確認する（ＳＴＥＰ５８）。そして、禁止期間であることを確認すると（Ｙｅｓ）、ＳＴＥＰ５３と同様、送信タイミングＴ２のときに、禁止通知信号を制御部３１１で生成して、他の送信装置３に送信し（ＳＴＥＰ５９）、ＳＴＥＰ５５に移行する。
【００８４】
又、ＳＴＥＰ５７において、他の受信装置３からのＲＦ信号を受信して復調部３０４で復調して得られた禁止通知信号を制御部３１１で確認すると（Ｙｅｓ）、再送要求管理部３０７による再送要求データの生成動作を停止させる。（ＳＴＥＰ６０）。よって、再送要求データとなるＲＦ信号の送信装置２への送信動作が停止する。その後、解除通知信号となるＲＦ信号を受信したか否かが確認される（ＳＴＥＰ６１）。そして、解除通知信号となるＲＦ信号の受信が確認されない場合（Ｎｏ）、ＳＴＥＰ５１と同様、リモコン５からの赤外線信号をＩｒＤＡ受信部３０８で受信したか否かを確認する（ＳＴＥＰ６２）。
【００８５】
このとき、リモコン５からの赤外線信号の受信を確認すると（Ｙｅｓ）、再送要求管理部３０７による再送要求データの生成動作を再開するとともに（ＳＴＥＰ６３）、ＳＴＥＰ５２に移行し、一方、リモコン５からの赤外線信号の受信が確認されなかったとき（Ｎｏ）、ＳＴＥＰ６０に移行して、再生要求管理部３０７を停止状態のままとする。又、ＳＴＥＰ６１において、他の受信装置３からのＲＦ信号を受信して復調部３０４で復調して得られた解除通知信号を制御部３１１で確認すると（Ｙｅｓ）、ＳＴＥＰ６３と同様、再送要求管理部３０７による再送要求データの生成動作を再開する（ＳＴＥＰ６４）。
【００８６】
このように動作しているとき、ＳＴＥＰ５５において、禁止期間の経過が確認されなかったとき（Ｎｏ）、又は、ＳＴＥＰ５６における解除通知信号の送信動作を行ったとき、又は、ＳＴＥＰ５８において、禁止期間の設定がなされていないとき（Ｎｏ）、又は、ＳＴＥＰ６４において再送要求管理部３０７の動作が再開されたとき、ＳＴＥＰ５０に移行して、電源ＯＦＦの指示が成されたか否かが確認される。
【００８７】
又、ＳＴＥＰ５０において、電源ＯＦＦの指示が成されたことを確認すると（Ｙｅｓ）、禁止期間の設定を行っているか否かが確認される（ＳＴＥＰ６５）。そして、禁止期間を設定して他の受信装置３による再送要求の禁止を行っている場合は（Ｙｅｓ）、ＳＴＥＰ５６と同様にして、解除通知信号を送信した後（ＳＴＥＰ６６）、電源をＯＦＦとする（ＳＴＥＰ６７）。一方、禁止期間の設定を行っていない場合（Ｎｏ）、そのまま電源をＯＦＦする（ＳＴＥＰ６７）。
【００８８】
受信装置３−１〜３−ｎがこのように動作するデータ通信システムによると、図１０のように各装置が動作する。即ち、受信装置３−１〜３−ｎにリモコン５からの赤外線信号の送信がない場合、図１０（ａ）のように、送信装置２からＡＶデータとなるＲＦ信号が送信されて受信装置３−１〜３−ｎで受信されるとともに、受信装置３−１〜３−ｎそれぞれから再送要求データとなるＲＦ信号が送信される。それに対して、リモコン５から受信装置３−１に赤外線信号が送信されると、図１０（ｂ）のように、受信装置３−１から受信装置３−２〜３−ｎそれぞれに対して、禁止通知信号となるＲＦ信号が送信されて、禁止期間が設定される。そして、再送要求データ及びリモコンスルーデータとなるＲＦ信号が受信装置３−１から送信装置２に送信される。
【００８９】
その後、禁止期間の間、図１０（ｃ）のように、送信装置２からＡＶデータとなるＲＦ信号が送信されて受信装置３−１〜３−ｎで受信されるとともに、受信装置３−１のみから再送要求データとなるＡＶデータが送信される。そして、禁止期間が経過すると、図１０（ｄ）のように、受信装置３−１から受信装置３−２〜３−ｎそれぞれに対して、解除通知信号となるＲＦ信号が送信されて、禁止期間が解除される。よって、図１０（ａ）のように、送信装置２からＡＶデータとなるＲＦ信号が送信されて受信装置３−１〜３−ｎで受信されるとともに、受信装置３−１〜３−ｎそれぞれから再送要求データとなるＲＦ信号が送信される。
【００９０】
＜第５の実施形態＞
本発明の第５の実施形態について、図面を参照して説明する。本実施形態におけるデータ通信システムにおいても、第４の実施形態と同様、第１〜第３の実施形態と異なり、リモコンからの赤外線信号を受信装置が受信したとき、この赤外線信号を受信した受信装置以外の受信装置からの再送要求データの送信が禁止される。
【００９１】
本実施形態におけるデータ通信システムにおいても、第４の実施形態と同様、データ通信システムに参加している受信装置３−１〜３−ｎそれぞれが、再送要求データ及びリモコンスルーデータを含むＲＦ信号を送信装置２に送信する。即ち、受信装置３−１〜３−ｎがポーリング動作を行い、受信装置３−１〜３−ｎそれぞれの送信タイミングが設定され、受信装置３−１〜３−ｎそれぞれが自機器の送信タイミングにおいて、送信装置２へのＲＦ信号の送信動作を行う。
【００９２】
そして、データ通信システムに参加している受信装置３（受信装置３−１〜３−ｎに対応する）の内のいずれかにリモコン５からの赤外線信号が送信されると、赤外線信号を受信した受信装置３のみが再送要求データ及びリモコンスルーデータの送信を行い、その他の受信装置３による再送要求データの送信が禁止される。このとき、本実施形態では、第４の実施形態と異なり、リモコン５からの赤外線信号を受信した受信装置３から他の受信装置３の再送要求動作を禁止するための禁止通知信号が送信されるのではなく、送信装置２よりＡＶデータとなるＲＦ信号に、リモコン５からの赤外線信号を受信した受信装置３が存在することを示すデータ（以下、「リモコンスルーデータ確認情報」とする）が付加されて送信される。
【００９３】
よって、送信装置２からのＲＦ信号よりリモコンスルーデータ確認情報を確認した受信装置３では、自機器がリモコン５からの赤外線信号を受信している場合は、通常通り、再送要求データ及びリモコンスルーデータの送信を行う。又、リモコンスルーデータ確認情報より他の受信装置３がリモコン５からの赤外線信号を受信したことを確認した場合は、自機器による再送要求データの送信を停止する。
【００９４】
このようなデータ通信システムにおける送信装置２及び受信装置３の動作について、図面を参照して説明する。図１１は、送信装置２及び受信装置３−１〜３−ｎの動作状態を説明するための状態遷移図である。尚、説明を簡単にするため、受信装置３−１に対してリモコン５から赤外線信号が送信される例を挙げて、以下に説明する。
【００９５】
第４の実施形態と同様、送信装置２から送信されるＡＶデータによるＲＦ信号が、この送信装置２が参加しているデータ通信システムに参加している受信装置３−１〜３−ｎによって受信される。このとき、リモコン５からの赤外線信号の送信がない場合、受信装置３−１〜３−ｎそれぞれでは、正常に受信できなかったＴＳパケットを再送要求するための再送要求データを再送要求管理部３０７で生成し、図１１（ａ）のように、この再送要求データによるＲＦ信号を送信装置２に対して送信する。
【００９６】
そして、リモコン５からの赤外線信号を受信装置３−１が受信すると、再送要求管理部３０７で再送要求データが生成されるとともにリモコン管理部３０９でリモコンスルーデータが生成され、図１１（ｂ）のように、受信装置３−１から再送要求データ及びリモコンスルーデータによるＲＦ信号が送信装置２に送信される。送信装置２では、このＲＦ信号をＢＢ部２０４及びＲＦ部２０５で処理した後に復調部２０７で復調することで、受信装置３−１から送信されたＲＦ信号であることを確認するとともに、リモコンスルーデータをリモコンスルーデータ生成部２０９において確認する。
【００９７】
よって、受信装置３−１からリモコンスルーデータが送信されたことを示すリモコンスルーデータ確認情報をＴＳ処理部２０２で生成し、ＡＶデータによるＴＳパケットのヘッダにリモコンスルーデータ確認情報を付加する。そして、このリモコンスルーデータ確認情報が付加されたＡＶデータによるＴＳパケットを、変調部２０３でデジタル変調した後、ＢＢ部２０４及びＲＦ部２０５を介して、図１１（ｃ）のように、アンテナ２０６より受信装置３−１〜３−ｎに対して送信する。
【００９８】
そして、受信装置３−１〜３−ｎそれぞれが、このリモコンスルーデータ確認情報が付加されたＲＦ信号を受信すると、復調部３０４に復調したときに、そのヘッダ部におけるリモコンスルーデータ確認情報が確認される。このとき、受信装置３−１では、リモコンスルーデータ確認情報によって確認される受信装置が自機器であるため、再送要求管理部３０７を動作させたままとする。又、受信装置３−２〜３−ｎでは、リモコンスルーデータ確認情報によって確認される受信装置が他の受信装置３−１であるため、所定期間を禁止期間として、この禁止期間の間、再送要求管理部３０７の動作を停止する。
【００９９】
よって、この禁止期間の間、図１１（ｄ）のように、送信装置２からＡＶデータとなるＲＦ信号が送信されて受信装置３−１〜３−ｎで受信されるとともに、受信装置３−１のみから再送要求データとなるＡＶデータが送信される。即ち、受信装置３−２〜３−ｎからの再送要求データが送信されることがない。そして、禁止期間が経過したことを受信装置３−２〜３−ｎそれぞれが確認すると、再び、図１１（ａ）のように、受信装置３−２〜３−ｎからの再送要求データの送信が許可される。
【０１００】
又、図１１（ｄ）のように、受信装置３−２〜３−ｎからの再送要求データが送信されない禁止期間であるときに、例えば、受信装置３−２にリモコン５から赤外線信号が送信されると、図１２（ａ）のように、受信装置３−２における再送要求動作が再開されるとともに、受信装置３−２から再送要求データ及びリモコンスルーデータとなるＲＦ信号が送信装置２に送信される。よって、送信装置２より、図１２（ｂ）のように、受信装置３−２からリモコンスルーデータが送信されたことを示すリモコンスルーデータ確認情報が付加されたＡＶデータによるＲＦ信号が送信される。そして、再び、禁止期間が設定されて、この禁止期間の間、図１２（ｃ）のように、送信装置２からＡＶデータとなるＲＦ信号が送信されて受信装置３−１〜３−ｎで受信されるとともに、受信装置３−２のみから再送要求データとなるＡＶデータが送信されることとなる。
【０１０１】
尚、本実施形態において、送信装置２からのリモコンスルーデータ確認情報が付加されたＡＶデータによるＲＦ信号を受信装置３−１〜３−ｎが受信することで、受信装置３−１〜３−ｎそれぞれで禁止期間が設定されるものとしたが、送信装置２によって、禁止期間の経過が確認されて、解除を通知するための情報を付加したＡＶデータによるＲＦ信号を受信装置３−１〜３−ｎに送信するものとしても構わない。このとき、受信装置３−１〜３−ｎにおいて再送要求動作が禁止されている装置において、このＲＦ信号を受信して解除を通知するための情報を確認することで、再送要求管理部３０７における再送要求動作が再開される。
【０１０２】
又、第４の実施形態において、第５の実施形態と同様、他の受信装置３からの禁止通知信号を受信して再送要求動作を禁止された受信装置３が、再送要求動作を禁止された禁止期間を計測するものとしても構わない。このとき、禁止通知信号を送信した受信装置３から、他の受信装置３の再送要求動作を再開させるための解除通知信号を送信する必要がなくなる。
【０１０３】
更に、第４及び第５の実施形態では、禁止期間以外の期間において、データ通信システムに参加している受信装置３それぞれから再送要求データとなるＲＦ信号が送信装置２に送信されるものとしたが、第１〜第３の実施形態と同様、データ通信システムに参加している受信装置３の間で親機と子機とが設定され、子機となる受信装置３から親機となる受信装置３に再送要求データとなるＲＦ信号が送信されるものとしても構わない。
【０１０４】
尚、上述の各実施形態において、ＡＶソース機器と送信装置とが別体となるとともに、受信装置と再生出力装置とが別体となるものとしたが、ＡＶソース機器と送信装置とを一体とした装置、又、受信装置と再生出力装置とを一体とした装置としても構わない。
【産業上の利用可能性】
【０１０５】
本発明は、ＡＶデータの送受信を行う無線通信を行うデータ通信システムに適用可能であり、又、ＰＤＡや携帯電話などが通信に参加可能なデータ通信システムにも適用可能である。
【図面の簡単な説明】
【０１０６】
【図１】は、本発明の実施形態によるデータ通信システムの構成を示すブロック図である。
【図２】は、図１のデータ通信システムにおける送信装置の内部構成を示すブロック図である。
【図３】は、図１のデータ通信システムにおける受信装置の内部構成を示すブロック図である。
【図４】は、データ通信システムにおける送信タイミングの一例を示す図である。
【図５】は、第１〜第３の実施形態のデータ通信システムにおける親機となる受信装置によるタイミングＴ２，Ｔ３の切り換え管理動作を示すフローチャートである。
【図６】は、第１の実施形態のデータ通信システムにおける受信装置における親機及び子機の設定動作を示すフローチャートである。
【図７】は、第２の実施形態のデータ通信システムにおける受信装置における親機及び子機の設定動作を示すフローチャートである。
【図８】は、第３の実施形態のデータ通信システムにおける受信装置における親機及び子機の設定動作を示すフローチャートである。
【図９】は、第４の実施形態のデータ通信システムにおける受信装置の動作を示すフローチャートである。
【図１０】は、第４の実施形態のデータ通信システムにおける送信装置及び受信装置の動作状態を説明するための状態遷移図である。
【図１１】は、第５の実施形態のデータ通信システムにおける送信装置及び受信装置の動作状態を説明するための状態遷移図である。
【図１２】は、第５の実施形態のデータ通信システムにおける送信装置及び受信装置の動作状態を説明するための状態遷移図である。
【符号の説明】
【０１０７】
１    ＡＶソース機器
２    送信装置
３−１〜３−ｎ    受信装置
４−１〜４−ｎ    再生出力装置
５    リモコン
２０１    入力Ｉ／Ｆ
２０２    ＴＳ処理部
２０３    変調部
２０４    ＢＢ部
２０５    ＲＦ部
２０６    アンテナ
２０７    復調部
２０８    再送要求確認部
２０９    リモコンスルーデータ生成部
２１０    ＩｒＤＡ送信部
２１１    制御部
３０１    アンテナ
３０２    ＲＦ部
３０３    ＢＢ部
３０４    復調部
３０５    ＭＰＥＧ復号化部
３０６    出力Ｉ／Ｆ
３０７    再送要求管理部
３０８    ＩｒＤＡ受信部
３０９    リモコン管理部
３１０    変調部
３１１    制御部
【図１】
2006345121.tif 000003
【図２】
2006345121.tif 000004
【図３】
2006345121.tif 000005
【図４】
2006345121.tif 000006
【図５】
2006345121.tif 000007
【図６】
2006345121.tif 000008
【図７】
2006345121.tif 000009
【図８】
2006345121.tif 000010
【図９】
2006345121.tif 000011
【図１０】
2006345121.tif 000012
【図１１】
2006345121.tif 000013
【図１２】
2006345121.tif 000014